(57)【要約】【課題】貯蔵室内に配置された容器においてエチレンガスの分解を行え、貯蔵された野菜等の鮮度を向上させることができる冷蔵庫を提供する。【解決手段】貯蔵室１２を有する本体２と、貯蔵室１２内に配置された閉塞容器６０と、閉塞容器６０の一部に設けられた機能性シート８０とを備え、機能性シート８０は、透湿シート８１と、通気シート８２と、透湿シート８１と通気シート８２との間に設けられたエチレンを分解可能な触媒８３とを備えるものである。【選択図】        図２
2019100654.tif 000002
【特許請求の範囲】
【請求項１】
貯蔵室を有する本体と、前記貯蔵室内に配置された閉塞容器と、前記閉塞容器の一部に設けられた機能性シートとを備え、
前記機能性シートは、透湿シートと、通気シートと、前記透湿シートと前記通気シートとの間に設けられたエチレンを分解可能な触媒とを備える冷蔵庫。
【請求項２】
前記触媒が粉体状をなしている請求項１に記載の冷蔵庫。
【請求項３】
前記機能性シートは、前記透湿シートと前記通気シートとの間に空間を形成するスペーサーが設けられている請求項１又は２に記載の冷蔵庫。
【請求項４】
前記機能性シートは、前記透湿シートと前記通気シートとの間に、前記触媒を担持するシート状の担持体を備える請求項１〜３のいずれか１項に記載の冷蔵庫。
【請求項５】
前記機能性シートは、前記閉塞容器の上部に設けられている請求項１〜４のいずれか１項に記載の冷蔵庫。
【請求項６】
前記触媒の粒径が、前記透湿シート及び前記通気シートに設けられた孔より大きい請求項２に記載の冷蔵庫。
【請求項７】
前記閉塞容器内の空気の湿度を調整する調湿部材を備える請求項１〜６のいずれか１項に記載の冷蔵庫。
【請求項８】
前記閉塞容器は、前記機能性シートを収納するケースを備え、
前記機能性シートの少なくとも一方の面が前記ケースと異なる色をなしている請求項１〜７のいずれか１項に記載の冷蔵庫。
【発明の詳細な説明】
【技術分野】
【０００１】
本発明の実施形態は、冷蔵庫に関するものである。
【背景技術】
【０００２】
従来、冷蔵庫では、野菜室などの貯蔵室で野菜や食品を良好な状態で冷却保存して劣化を防ぐために、野菜室を循環する空気（風）の直接的な進入を抑制した閉塞容器で野菜室内の容器を構成することで、容器内を高湿度に保持するとともに、容器内の野菜に冷気を直接当てないことが、有効であるとされている。しかし、容器が閉塞されていると、野菜から出た水分で結露が発生してしまう。
そこで、冷蔵庫は、特許文献１に開示されているように、湿度を所定値に維持するために、仕切板が配置されており、この仕切板には、透湿膜を有する透湿膜ユニットが配置されている。
【先行技術文献】
【特許文献】
【０００３】
【特許文献１】特開２０１５−１２４９６４号
【発明の概要】
【発明が解決しようとする課題】
【０００４】
しかし、特許文献１に開示されている冷蔵庫では、野菜や食品から発生した植物老化ホルモンであるエチレンガスが、容器内に充満してしまい、エチレンガスにより容器内の野菜の鮮度が落ちる。しかも、エチレンガスが、仕切板の透湿膜を通過して、容器内から野菜室内へ、そして冷蔵庫全体に拡散してしまうおそれがある。
【０００５】
そこで、野菜室のような貯蔵室内に配置された容器においてエチレンガスの分解を行え、貯蔵された野菜等の鮮度を向上させることができる冷蔵庫を提供することを目的とする。
【課題を解決するための手段】
【０００６】
本実施形態の冷蔵庫は、貯蔵室を有する本体と、前記貯蔵室内に配置された閉塞容器と、前記閉塞容器の一部に設けられた機能性シートとを備え、前記機能性シートは、透湿シートと、通気シートと、前記透湿シートと前記通気シートとの間に設けられたエチレンを分解可能な触媒とを備えるものである。
【図面の簡単な説明】
【０００７】
【図１】第１実施形態に係る冷蔵庫の断面図。
【図２】図１の要部拡大図。
【図３】機能性シートを収納するケースの分解斜視図。
【図４】機能性シートの構造を模式的に示す断面図。
【図５】第２実施形態に係る冷蔵庫の機能性シートの構造を模式的に示す断面図。
【発明を実施するための形態】
【０００８】
（第１実施形態）
以下、第１実施形態の貯蔵庫について図面に基づいて説明する。
【０００９】
本実施形態に係る冷蔵庫１は、図１に示すように、前面に開口する断熱箱体からなる冷蔵庫本体（以下、本体ということもある）２を備える。本体２は、鋼板製の外箱と合成樹脂製の内箱との間に形成された断熱空間に真空断熱材や発泡断熱材等の断熱材を有して構成されている。本体２は内箱の内側に複数の貯蔵空間が設けられており、貯蔵空間が断熱仕切壁３によって上下に区画されている。
【００１０】
断熱仕切壁３の上方の空間は、冷蔵温度帯（例えば、１〜４℃）に冷却される貯蔵室であり、内部がさらに仕切壁４によって上下に区画されている。仕切壁４の上方には冷蔵室１０が設けられ、仕切壁４の下方には野菜室１２が設けられている。
【００１１】
冷蔵室１０の前面開口部には、ヒンジで枢支された回動式の冷蔵室扉１１が設けられている。野菜室１２の前面開口部は、引出し式の野菜室扉１３により閉塞されている。野菜室扉１３の庫内側には、貯蔵容器５０を保持する左右一対の支持枠が固着されており、開扉動作とともに貯蔵容器５０が庫外に引き出されるように構成されている。
【００１２】
図２に示すように、野菜室１２内に設けられた貯蔵容器５０は、野菜室１２のほぼ全幅にわたって設けられた下段容器５１と、下段容器５１の上方に設けられた上段容器５２とを備え、上下２段に重なり合う構造をなしている。
【００１３】
下段容器５１は、前方壁、後方壁、左右側壁によって囲まれた有底の箱状の容器であり、上方に開口する上部開口部から内部に貯蔵品を出し入れするようになっている。下段容器５１は、野菜室扉１３の裏面側に固着された左右一対の支持枠に保持され、野菜室扉１３の開扉動作とともに庫外へ引き出されるように構成されている。
【００１４】
下段容器５１は、内底面から上方へ突出する前後仕切５４が設けられている。この前後仕切５４は、下段容器５１の左右側壁の内面を連結するように設けられており、前後仕切５４の前側に下段前容器６１が形成され、後側に下段後容器６０が形成されている。
【００１５】
下段後容器６０の上部開口部６０ａの前側は、図１及び図２に示すような野菜室扉１３が閉扉された状態（野菜室１２内に貯蔵容器５０を収納した状態）で上段容器５２によって覆われる。下段後容器６０の上部開口部６０ａの後側は、機能性シート８０を収納したシート収納ケース７０によって覆われている。これにより、下段後容器６０は、上部開口部６０ａを閉塞する上段容器５２及びシート収納ケース７０とともに、野菜室１２を循環する空気等の容器外部を流れる空気（風）の直接的な進入が制限された閉塞容器を構成する。
【００１６】
シート収納ケース７０は、図３に示すように、本体部分７１と、蓋部分７２を備えており、蓋部分７２は本体部分７１に対して、着脱可能にはめ込むことで、蓋部分７２と本体部分７１は一体化され、その内部には機能性シート８０を配置する空間が形成される。蓋部分７２は、ほぼ全面に渡って通気用の複数の細長い孔７２Ａを有し、本体部分７１は、ほぼ全面に渡って通気用の複数の細長い孔７１Ａを有している。シート収納ケース７０は、本体部分７１を下方に向け下段後容器６０の上部開口部６０ａの後側に取り付けられている。
【００１７】
図４に示すように、機能性シート８０は、透湿シート８１と、通気シート８２と、透湿シート８１と通気シート８２との間に設けられた触媒８３とを備え、シート収納ケース７０の本体部分７１に設けられた複数の孔７１Ａを覆うようにシート収納ケース７０の内部に設けられている。
【００１８】
透湿シート８１は、防水性及び透湿性を有するシート材、例えば、直径が０．５μｍ〜３μｍの孔を多数有する多孔質シート材であり、水蒸気粒子や酸素分子を通過させるが、孔よりも大きな水の粒子を遮断する。また、多孔質状であることから、空気（風）の流通を制限する所定の風遮断性をも有している。一例を挙げると、ポリエステル長繊維不織布とポリエチレン多孔質フィルムをラミネートした透湿防水シートなどを透湿シート８１に用いることができる。
【００１９】
通気シート８２は、不織布シート、織物などの布帛、あるいは柔軟な多孔性樹脂シートなど、通気性を有するシート材からなり、好ましくは、透湿シート８１より大きく、かつ、触媒８３の粒径より大きな孔を多数有するシート材であることが好ましい。
【００２０】
触媒８３は、エチレンガスを分解可能な触媒であり、例えば、ＰｔやＰｄやＡｕ等の貴金属類や二酸化マンガン、酸化銅等の金属酸化物からなる熱触媒を用いることができる。好ましくは、触媒８３は、エチレンガスと接触し易くするために粉体状になっており、より好ましくは、透湿シート８１及び通気シート８２が有する孔の直径より大きな粒径を有する粉体状である。
【００２１】
透湿シート８１及び通気シート８２は、熱融着などの手段によって互いに固定され、両シート８１，８２の間で触媒８３を保持した１枚のシートとなっている。なお、本実施形態では、触媒８３は、透湿シート８１や通気シート８２に担持（固定）されておらず、透湿シート８１と通気シート８２との間で移動することができるように設けられている。
【００２２】
このような構成の下段後容器６０において、上部開口部６０ａを開放する場合、野菜室扉１３を開扉し下段容器５１を庫外へ引き出した後、上段容器５２を下段容器５１に対して後方へ摺動させて上部開口部６０ａを開放する。なお、下段前容器６１の上部開口部は、野菜室扉１３の開扉状態及び閉扉状態に関わらず上段容器５２によって覆われることなく開放している。
【００２３】
上段容器５２は、前方壁、後方壁５２ａ、左右側壁によって囲まれた有底の箱状の容器であり、上方に開口する上部開口部から内部に貯蔵品を出し入れするようになっている。上段容器５２は、野菜室１２の左右の内側壁面に設けられた内箱レールと下段容器５１の左右側壁の上端を前後方向に摺動することで、下段容器５１と独立して庫外へ引き出し可能に設けられている。
【００２４】
断熱仕切壁３の下方の空間には、自動製氷機を備えた製氷室（不図示）と第１冷凍室１６とが左右に併設され、その下方に仕切板５を介して第２冷凍室１８が設けられている。
【００２５】
製氷室、第１冷凍室１６及び第２冷凍室１８は、いずれも冷凍温度帯（例えば、−１７℃以下）に冷却される。
【００２６】
製氷室、第１冷凍室１６、及び第２冷凍室１８の開口部は、野菜室１２と同様、引き出し式の扉１７，１９により閉塞されている。各扉１７，１９の裏面側に固着した左右一対の支持枠には貯蔵容器２０，２１が保持されており、扉１７，１９の開扉動作とともに該貯蔵容器２０、２１が庫外に引き出されるように構成されている。
【００２７】
冷蔵室１０及び野菜室１２の後部には、エバカバー２３で前後に仕切られた冷蔵冷却器室２４と、冷蔵室１０と冷蔵冷却器室２４とを連結するダクト２５と、冷蔵室１０や野菜室１２と冷蔵冷却器室２４とを連結するリターンダクト２６とが形成されている。
【００２８】
冷蔵冷却器室２４には、冷蔵冷却器３０及び冷蔵ファン３１が収納されており、冷蔵冷却器３０が冷却した冷蔵冷却器室２４の空気を冷蔵ファン３１によってダクト２５を介して冷蔵室１０へ供給する。
【００２９】
製氷室、第１冷凍室１６、及び第２冷凍室１８の後部には、エバカバー３２で前後に仕切られた冷凍冷却器室３３と、製氷室、第１冷凍室１６、及び第２冷凍室１８と冷凍冷却器室３３とを連結するダクト３４とが形成されている。冷凍冷却器室３３には、冷凍冷却器３５及び冷凍ファン３６が収納されており、冷凍冷却器３５が冷却した冷凍冷却器室３３の空気を冷凍ファン３６によってダクト３４を介して製氷室、第１冷凍室１６、及び第２冷凍室１８へ供給する。
【００３０】
冷蔵冷却器３０及び冷凍冷却器３５は、機械室３７に収納された圧縮機３８や凝縮器（不図示）とともに冷凍サイクルを構成する。冷凍サイクルでは、圧縮機３８から吐出された冷媒が切替弁（不図示）によって冷蔵冷却器３０及び冷凍冷却器３５の一方に供給されることで所定温度に冷蔵冷却器３０及び冷凍冷却器３５が冷却される。
【００３１】
冷蔵冷却器３０は、冷蔵冷却器室２４の空気を冷却して、例えば、−１０〜−２０℃の冷気を生成する。その際、冷蔵冷却器３０は、冷蔵温度帯の冷蔵室１０及び野菜室１２を循環した空気と熱交換するため、冷蔵冷却器３０に付着する霜が融解して水分を多く含んだ空気（加湿冷気）を生成する。
【００３２】
図１及び図２において加湿冷気の流れを矢印で示すように、生成した加湿冷気は、冷蔵ファン３１の回転によって、ダクト２５を介して吹出口２５ａから冷蔵室１０へ供給され、冷蔵室１０を冷却及び加湿する。
【００３３】
冷蔵室１０を流れた加湿冷気の一部は、仕切壁４の後部に設けられた吸込口２７からリターンダクト２６に流れ込み冷蔵冷却器室２４へ戻り、残りの空気は仕切壁４に設けられた連通路４ａを通って野菜室１２へ流れ込む。
【００３４】
連通路４ａは、上段容器５２の後方壁５２ａと下段後容器６０に設けられたシート収納ケース７０によって区画された空間Ｓに開口するように仕切壁４の後端部に設けられている。冷蔵冷却器３０で加湿冷却された空気が、冷蔵室１０を流れた後、連通路４ａを通って空間Ｓへ流れ込む。
【００３５】
空間Ｓと下段後容器６０の内部空間とを上下に仕切っている機能性シート８０は、風の進入を制限する透湿シート８１を備える。そのため、冷蔵室１０から空間Ｓに流れ込んだ加湿冷気は、透湿シート８１によって遮断され、下段後容器６０内へ流れ込むことなく空間Ｓに滞留し、空間Ｓに入りきらない加湿冷気が貯蔵容器５０の周りを流れリターンダクト２６を通って冷蔵冷却器室２４へ戻る。
【００３６】
冷凍冷却器３５は、冷凍冷却器室３３の空気を冷却して、例えば、−２０〜−３０℃の冷気を生成する。生成した冷気は、冷凍ファン３６の回転によってダクト３４を介して製氷室、第１冷凍室１６及び第２冷凍室１８に供給されこれらの貯蔵室を冷却する。製氷室及び第１冷凍室１６を冷却した空気は、不図示の透孔を通って第２冷凍室１８へ流れ込み、第２冷凍室１８に供給された冷気と合流し、その後、第２冷凍室１８の背面に設けられたリターンダクト２８を通って冷凍冷却器室３３に戻り、冷凍冷却器３５と熱交換して再び冷却される。
【００３７】
上記した本実施形態の冷蔵庫１では、野菜室１２に配置された下段後容器６０にシート収納ケース７０が設けられ、機能性シート８０によって野菜室１２と下段後容器６０とが区画されている。そのため、野菜室１２に流れ込んだ空気が、下段後容器６０内へ流れ込むことがなく、下段後容器６０内の野菜が冷気に晒されて乾燥するのを防ぐことができる。
【００３８】
また、透湿シート８１は水蒸気粒子を通過させるため、下段後容器６０内の湿度が下段後容器６０の外側の湿度より高くなると、水蒸気分子が機能性シート８０を通って下段後容器６０内から野菜室１２内へ流出する。そのため、下段後容器６０内が飽和水蒸気量を越えることがなく、下段後容器６０内の結露を防ぐことができる。
【００３９】
また、下段後容器６０に収納された野菜等から発生するエチレンガスの濃度が高くなると、エチレンガスが機能性シート８０を通って下段後容器６０内から野菜室１２内へ流出するが、その際、機能性シート８０に設けられた触媒８３を通過するため、エチレンガスを効率よく分解することができ、エチレンガスが下段後容器６０内に滞留したり、冷蔵庫全体に拡散するのを防ぐことができる。
【００４０】
しかも、機能性シート８０に設けられた触媒８３が粉体状をなしているため、表面積が大きく分解速度が早い。加えて、触媒８３は、透湿シート８１や通気シート８２に担持（固定）されておらず、透湿シート８１と通気シート８２との間で移動することができるように設けられているため、野菜室扉１３の開閉等によって振動が機能性シート８０に伝わると、触媒８３がその向きを変えるように移動して触媒８３においてエチレンガスと反応していない面をエチレンガスの流れ方向上流側（下段後容器６０側）に向けることができるため、エチレンガスの分解速度が低下しにくい。
【００４１】
本実施形態では、下段後容器６０の上部開口部６０ａの後側にシート収納ケース７０が配置され、機能性シート８０が下段後容器６０の上部に設けられているため、空気に比べて軽いエチレンガスが、触媒８３を有する機能性シート８０と接触しやすくなり、エチレンガスが触媒８３によって分解されやすくなる。
【００４２】
本実施形態の好ましい態様として、機能性シート８０は、透湿シート８１と通気シート８２との間に触媒８３とともにスペーサー８４を備える。スペーサー８４としては、例えば、パルプ繊維などを用いることができる。スペーサー８４は、触媒８３を担持しておらず、透湿シート８１と通気シート８２との間に形成された空間において、触媒８３が移動することができるようになっている。
【００４３】
スペーサー８４は、得られる機能性シート８０に適度な厚みと剛性を与えるとともに、透湿シート８１と通気シート８２との間において触媒８３の移動を促す適度な空間（隙間）を形成するものである。このようなスペーサー８４を有する機能性シート８０を用いることで、機能性シート８０の取り扱いが容易になるとともに、透湿シート８１と通気シート８２との間において触媒８３が動きやすくなり、エチレンガスの分解速度が低下しにくい。
【００４４】
また、本実施形態の好ましい態様として、機能性シート８０の少なくとも一方の面がシート収納ケース７０と異なる色に着色されてもよい。このような場合、シート収納ケース７０に収納されて機能性シート８０が目立ちやすくなり、機能性シート８０の入れ忘れを防ぐことができるとともに意匠性を向上させることができる。
【００４５】
更にまた、本実施形態の好ましい態様として、下段後容器６０に内部の湿度を調整する調湿部材を設けてもよい。
【００４６】
調湿部材は、下段後容器６０内部の湿度に応じて水分の吸着量を異にする特性があり、乾燥及び潤いを繰返す環境では高湿度で吸湿し且つ低湿度で放湿することに応じて湿度をコントロールするものであり、例えば、不織布で形成された袋にＢ型シリカゲルを収納したものを用いることができる。調湿部材は、例えば、機能性シート８０とともにシート収納ケース７０の内部に収納したり、下段後容器６０の前方壁や後方壁や左右側壁の内側に配設することができる。このような場合、野菜室１２内に野菜等が多量に収納されている場合には調湿部材が吸湿することで野菜室１２内が適正な湿度にコントロールされるので、野菜室１２内で結露が生じ難くなる。しかも、野菜室１２内を湿度コントロールするための専用の電源等が不要になるので、余分なスペース及び複雑な構造が不要になる。
【００４７】
（第２実施形態）
次に、図５を参照して、本発明の冷蔵庫の第２実施形態を説明する。図５は、第２実施形態の冷蔵庫１００に用いる機能性シート１８０の構造を模式的に示す断面図である。
【００４８】
本実施形態における機能性シート１８０は、図５に示すように、透湿シート８１と、通気シート８２と、触媒８３を担持した担持シート１８４とから構成され、両シート８１，８２の間に担持シート１８４が設けられている。触媒８３を担持する担持シート１８４として例えば不織布等を用いることができる。
【００４９】
本実施形態では、触媒８３を担持シート１８４に担持させているため、機能性シート１８０から触媒８３が脱落することがない。なお、その他の構成及び作用効果は上記した第１実施形態と同様であり、詳細な説明は省略する。
【００５０】
（他の実施形態）
上記した第１及び第２実施形態では、機能性シートを構成する透湿シート８１によって野菜室１２の冷気が下段後容器６０内へ進入することなく遮断される場合について説明したが、透湿シート８１は、下段後容器６０外部を流れる空気の直接的な進入を抑制する所定の風遮断性能を有していればよく、ある程度の空気の流通を許容するものであってもよい。このように透湿シート８１がある程度の空気の流通を許容することで、内部に収納された野菜に影響を及ぼさない程度の緩やかな空気の流れを下段後容器６０内で発生させて、内部の湿度及びエチレンガスの濃度を均一化することができ、その結果、局所的な結露の発生を防止したり、エチレンガスの分解効率を向上させたりすることができる。
【００５１】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５２】
１…冷蔵庫、２…冷蔵庫本体、１０…冷蔵室、１１…冷蔵室扉、１２…野菜室、１３…野菜室扉、１６…第１冷凍室、１８…第２冷凍室、２４…冷蔵冷却器室、２５…ダクト、２６…リターンダクト、２７…吸込口、２８…リターンダクト、３０…冷蔵冷却器、３１…冷蔵ファン、３２…エバカバー、３３…冷凍冷却器室、３４…ダクト、３５…冷凍冷却器、３６…冷凍ファン、３７…機械室、３８…圧縮機、５０…貯蔵容器、５１…下段容器、５２…上段容器、５４…前後仕切、６０…下段後容器、６１…下段前容器、６０ａ…上部開口部
【図１】
2019100654.tif 000003
【図２】
2019100654.tif 000004
【図３】
2019100654.tif 000005
【図４】
2019100654.tif 000006
【図５】
2019100654.tif 000007